(57)【要約】      （修正有）【課題】使用者が各プッシュボタン上の文字符号を識別する際の難度拡大を回避可能な発光キーボードデバイスを提供する。【解決手段】発光キーボードデバイス２０は複数の可動接続部２０２を備える底板２００、該底板２００に設置する複数のプッシュボタンユニット２１０、底板２００と各プッシュボタンユニット２１０との間に設置する薄膜回路板２２０、該薄膜回路板２２０と底板２００との間に設置する第一導光板２４４、該第一導光板２４４の側面に設置する少なくとも１個の光源２４２、第一導光板２４４と薄膜回路板２２０との間に設置する第二導光板２４６、薄膜回路板２２０と各プッシュボタンユニット２１０との間に設置する遮光片２５０からなり、第一導光板２４４は各可動接続部２０２をその中に貫通させる複数の第一開孔を備え、第二導光板２４６は各可動接続部２０２をその中に貫通させる複数の第二開孔を備え、しかも第一開孔の孔径は第二開孔の孔径より大きい。【選択図】図３
0003172648.tif 000002
【実用新案登録請求の範囲】
【請求項１】
発光キーボードデバイスは、底板、複数のプッシュボタンユニット、薄膜回路板、第一導光板、少なくとも１個の光源、第二導光板、遮光片からなり、
該底板は、複数の可動接続部を備え、
該複数のプッシュボタンユニットは、該底板に設置し、
該薄膜回路板は、該底板と該各プッシュボタンユニットとの間に設置し、
該第一導光板は、該薄膜回路板と該底板との間に設置し、該第一導光板は、入光面、及び該各可動接続部をその中に貫通させる複数の第一開孔を備え、
該少なくとも１個の光源は、該第一導光板に隣接する適当な位置に設置し、
該第二導光板は、該第一導光板と該薄膜回路板との間に設置し、該第二導光板は、該各可動接続部をその中に貫通させる複数の第二開孔を備え、
該遮光片は、該薄膜回路板と該各プッシュボタンユニットとの間に設置し、
該第一開孔の孔径は、該第二開孔の孔径より大きいことを特徴とする発光キーボードデバイス。
【請求項２】
前記第一開孔の孔径は、該第二開孔の孔径の１．２倍であることを特徴とする請求項１に記載の発光キーボードデバイス。
【請求項３】
前記発光キーボードデバイスはさらに、第一反射片を備え、該第一反射片は、該底板と該第一導光板との間に設置することを特徴とする請求項１に記載の発光キーボードデバイス。
【請求項４】
前記発光キーボードデバイスはさらに、フレキシブル回路板を備え、該第一導光板と該第一反射片との間に設置し、該光源は、該フレキシブル回路板に設置することを特徴とする請求項３に記載の発光キーボードデバイス。
【請求項５】
前記発光キーボードデバイスはさらに、第二反射片を備え、該底板下方に設置することを特徴とする請求項１に記載の発光キーボードデバイス。
【請求項６】
前記発光キーボードデバイスの該各プッシュボタンユニットは、該底板に相対して上下運動を行うキーキャップ、及び該キーキャップと該底板との間に設置する連結機構を備えることを特徴とする請求項１に記載の発光キーボードデバイス。
【請求項７】
前記連接機構は、相互に交差し、及び相互に可動状に接続する第一サポートフレーム及び第二サポートフレームを備えることを特徴とする請求項６に記載の発光キーボードデバイス。
【請求項８】
前記発光キーボードデバイスはさらに、複数の弾性部品を備え、該各プッシュボタンユニットと該薄膜回路板との間に設置することを特徴とする請求項１に記載の発光キーボードデバイス。
【請求項９】
前記薄膜回路板は、上線路層、下線路層、絶縁層を備え、
該絶縁層は、該上線路層と該下線路層との間に設置し、複数の開孔を備え、
該上線路層は、複数の移動電極を備え、
該下線路層は、複数の固定電極を備え、
該各移動電極は、該各開孔を通過して該各固定電極に対面することを特徴とする請求項１に記載の発光キーボードデバイス。
【請求項１０】
前記遮光片は、破孔を備え、該破孔の孔径は、該第二開孔の孔径に等しいことを特徴とする請求項１に記載の発光キーボードデバイス。
【請求項１１】
前記第二導光板の上表面には、導光インク層を設置し、これにより該第二導光板に入射する光線を拡散させることを特徴とする請求項１に記載の発光キーボードデバイス。
【請求項１２】
前記光源は、発光ダイオード、小型ランプ或いは灯管であることを特徴とする請求項１に記載の発光キーボードデバイス。
【請求項１３】
前記第一反射片の周縁は、上方へと湾曲して湾曲部分を形成し、該湾曲部分は少なくとも該第一導光板を覆うことを特徴とする請求項３に記載の発光キーボードデバイス。
【請求項１４】
前記底板の周縁は、上方へと湾曲して湾曲部を形成し、該湾曲部は少なくとも該第一導光板を覆うことを特徴とする請求項１に記載の発光キーボードデバイス。
【考案の詳細な説明】
【技術分野】
【０００１】
本考案はキーボードデバイスに関し、特に発光キーボードデバイスに関する。
【背景技術】
【０００２】
夜間或いは暗いところでも使用できるよう、コンピューターのキーボード、或いは携帯電話端末のプッシュボタン等インプットデバイス内部には、発光デバイスが設置されている。
これにより、使用者はキーボード上の文字符号をはっきりと見ることができ、便利にキーボードをタイプすることができる。
【０００３】
図１、２は、従来の発光キーボードデバイスのそれぞれ断面図及び局部拡大断面図である。
該発光キーボードデバイス１０は、底板１００、複数のプッシュボタンユニット１１０、薄膜回路板１２０、弾性部品１３０、発光モジュール１４０からなる。
該底板１００には、複数の可動接続部１０２を形成する。
【０００４】
該各プッシュボタンユニット１１０は、該底板１００に設置し、該各プッシュボタンユニット１１０は、該底板１００に相対し上下に運動するキーキャップ１１２、及び該底板１００と該キーキャップ１１２との間に設置する連結機構１１４を備える。
本実施例中では、該連結機構１０４は、ハサミの足構造を例とする。
【０００５】
該薄膜回路板１２０は、該底板１００と該各プッシュボタンユニット１１０との間に設置し、該薄膜回路板１２０は、光透過材質を使用して製造する。
しかも、該薄膜回路板１２０には、複数の回路レイアウト（図示なし）及び複数の接点１２２を予め設置する。
該各接点１２２は、該キーキャップ１１２下方に対応させて設置する。
【０００６】
該弾性部品１３０は、該薄膜回路板１２０と該各キーキャップ１１２との間に設置し、しかも該２個の接点１２２に位置を合わせる。
これにより、該各プッシュボタンユニット１１０が力を受けて下圧後の回復力を提供する。
【０００７】
該プッシュボタンユニット１１０が力を受けて下がると、該弾性部品１３０は該キーキャップ１１２の下圧作用を受け、下方へと変形し、該薄膜回路板１２０に接触する。
これにより、該２個の接点１２２は相互に連接して導通し、押された該キーキャップ１１２の文字符号に対応する信号を発生する。
【０００８】
該発光モジュール１４０は、複数の発光ダイオード１４２、導光板１４４、拡散板１４６からなる。
該導光板１４４は、入光面１４４０、出光面１４４２、及び該各可動接続部１０２をその中に貫通させる複数の穿孔１４４４を備え、該各発光ダイオード１４２は、該入光面１４４０に設置する。
該各発光ダイオード１４２は、該入光面１４４０へと光線を発出し、該光線は、該入光面１４４０より該導光板１４４へと入射し、該出光面１４４２より射出される。
【０００９】
該拡散板１４６は、該導光板１４４と該薄膜回路板１２０との間に設置し、該出光面１４４２より射出された光線は、該拡散板１４６に入射し、該拡散板１４６は該各光線を拡散し、均一輝度の面光源を形成する。
該拡散板１４６は、該各可動接続部１０２をその中に貫通させる複数の貫通孔１４６０を備え、該各貫通孔１４６０の孔径は、該各穿孔１４４４の孔径に等しい。
該各発光ダイオード１４２が発出する大部分の光線は、該入光面１４４０より該導光板１４４に入射し、該導光板１４４内部において伝送され、該出光面１４４２を経て出光し、他の部分光線は、該各穿孔１４４４の孔壁により屈折して出光する。
該穿孔１４４４の孔径は、該貫通孔１４６０の孔径に等しいため、該穿孔１４４４の孔壁により屈折して出光する光線は、直接的に、該貫通孔１４６０より、該プッシュボタンユニット１１０の方向へと伝送される。
これにより、隣接する２個のプッシュボタンユニット間の隙間も、光線が透過し、こうして漏光及び輝度不均一等の現象を招く。
これは、使用者がキーボード上の文字符号を識別する際の難度を拡大してしまう。
本考案は、従来の発光キーボードデバイスの上記した欠点に鑑みてなされたものである。
【考案の概要】
【考案が解決しようとする課題】
【００１０】
本考案が解決しようとする課題は、隣接する２個のプッシュボタンユニット間の隙間から透過する光線を減らし、こうして使用者のキーボード上文字符号識別に及ぼす影響を回避することができる発光キーボードデバイスを提供することである。
【課題を解決するための手段】
【００１１】
上記課題を解決するため、本考案は下記の発光キーボードデバイスを提供する。
光キーボードデバイスは、底板、複数のプッシュボタンユニット、薄膜回路板、第一導光板、少なくとも１個の光源、第二導光板、遮光片を備え、
該底板は、複数の可動接続部を備え、
該各プッシュボタンユニットは、該底板に設置し、
該薄膜回路板は、該底板と該各プッシュボタンユニットとの間に設置し、
該第一導光板は、該薄膜回路板と該底板との間に設置し、該第一導光板は、入光面、及び該各可動接続部をその中に貫通させる複数の第一開孔を備え、
該光源は、該入光面に設置し、
該第二導光板は、該第一導光板と該薄膜回路板との間に設置し、該第二導光板は、該各可動接続部をその中に貫通させる複数の第二開孔を備え、
該遮光片は、該薄膜回路板と該各プッシュボタンユニットとの間に設置し、
該第一開孔の孔径は、該第二開孔の孔径より大きく、該第一開孔の孔径は、該第二開孔の孔径の１．２倍である。
【考案の効果】
【００１２】
本考案発光キーボードデバイスは、第一導光板の各第一開孔の孔径を第二導光板の各第二開孔の孔径より大きくし、しかも各第一開孔の孔径は各第二開孔の孔径の１．２倍で、これにより、光線が各第二開孔を直接通過し、隣接する２個のキーキャップ間の隙間に伝送され、干渉光線を形成し、使用者が各プッシュボタン上の文字符号を識別する際の難度拡大を効果的に回避可能である。
【図面の簡単な説明】
【００１３】
【図１】従来の発光キーボードデバイスの局部断面図である。
【図２】従来の発光キーボードデバイスの局部拡大図である。
【図３】本考案発光キーボードデバイスの局部断面図である。
【図４】本考案発光キーボードデバイスの局部拡大図である。
【図５】本考案発光キーボードデバイスの断面図である。
【考案を実施するための形態】
【００１４】
以下に図面を参照しながら本考案を実施するための最良の形態について詳細に説明する。
【実施例】
【００１５】
図３は、本考案発光キーボードデバイスの断面図である。
【００１６】
該発光キーボードデバイス２０は、底板２００、複数のプッシュボタンユニット２１０、薄膜回路板２２０、複数の弾性部品２３０、発光モジュール２４０、遮光片２５０からなる。
【００１７】
該底板２００は好ましくは金属板で、該発光キーボードデバイス２０を支え、該底板２００には、複数の可動接続部２０２を形成し、該各可動接続部２０２は、プレス成型工程を経て該底板２００に成型されるが、実施時にはこれに限定しない。
【００１８】
該各プッシュボタンユニット２１０は、格子状配列を呈し該底板２００に設置され、その格子状配列規則は従来のキーボードの排列方式に相同であるため、ここではこれ以上の詳述は行わない。
【００１９】
該各プッシュボタンユニット２１０は、キーキャップ２１２及び連結機構２１４からなる。
【００２０】
該キーキャップ２１２は、おおよそ矩形で、しかもプッシュ面２１２０、対応設置面２１２２を備える。
【００２１】
該プッシュ面２１２０を、使用者は指先を用いて押し、しかも、該プッシュ面２１２０には、少なくとも１個の文字符号２１２１を設置し、これにより使用者は、該各キーキャップ２１２を識別することができる。
【００２２】
該キーキャップ２１２はさらに、少なくとも１個の光透過エリア２１２４を備え、該光透過エリア２１２４は、該文字符号２１２１に対応して設置する。
【００２３】
該光透過エリア２１２４は、透明状或いは半透明状を呈し、これにより光線は該キーキャップ２１２の対応設置面２１２２より該プッシュ面２１２０へと伝送され、該文字符号２１２１を光らせる。
【００２４】
該連結機構２１４は、該底板２００と該キーキャップ２１２との間に設置し、該連結機構２１４は、透明或いは半透明樹脂材料を使用して製造し、第一サポートフレーム２１４０及び第二サポートフレーム２１４２を備える。
【００２５】
該第一サポートフレーム２１４０及び該第二サポートフレーム２１４２の片側は、該キーキャップ２１２の対応設置面２１２２に連接し、反対側は、該可動接続部２０２に可動状に接続する。
【００２６】
しかも、該第一サポートフレーム２１４０及び該第二サポートフレーム２１４２は、交差してＸ字型を呈し、しかも交差位置は、ピボット２１４４により相互に連接する。
【００２７】
こうすることにより、該キーキャップ２１２は、該第一サポートフレーム２１４０及び該第二サポートフレーム２１４２を通して、該底板２００に相対し上下に移動する。
【００２８】
該薄膜回路板２２０は主に、該キーキャップ２１２が圧力を受け下降していないかどうかを探知し、しかも該キーキャップ２１２が圧力を受け下降した時には、インプット信号を発し、該インプット信号は、キーボードコントローラー（図示なし）に伝送される。
【００２９】
該薄膜回路板２２０は、該底板２００と該プッシュボタンユニット２１０との間に設置する。
【００３０】
該薄膜回路板２２０は、上線路層２２０２、下線路層２２０４、絶縁層２２０６を備え、該絶縁層２２０６は、該上線路層２２０２と該下線路層２２０４との間に設置する。
【００３１】
該絶縁層２２０６は、複数の開孔２２０７を備え、該各開孔２２０７は、該各キーキャップ２１２に対応して設置される。
【００３２】
該上線路層２２０２は、複数の回路レイアウト（図示なし）及び複数の移動電極２２０３を備え、該下線路層２２０４は、複数の回路レイアウト（図示なし）及び複数の固定電極２２０５を備える。
【００３３】
該各移動電極２２０３は、該開孔２２０７を通して該各固定電極２２０５に対面する。
【００３４】
該各弾性部品２３０は、該キーキャップ２１２と該薄膜回路板２２０の該上線路層２２０２との間に設置し、しかも該キーキャップ２１２に合わせて設置する。
【００３５】
実施時には、該各弾性部品２３０は、該上線路層２２０２に直接形成し、或いは該各弾性部品２３０は、接着材料により該上線路層２２０２に固定する。
【００３６】
該各弾性部品２３０は、該各キーキャップ２１２が押された時の回復力を提供し、該各弾性部品２３０は、凸出部２３２を備え、該凸出部２３０は、該各移動電極２２０３上方に対応する。
【００３７】
該キーキャップ２１２が圧力を受け下降すると、該第一サポートフレーム２１４０及び該第二サポートフレーム２１４２の下方への移動を連動し、該弾性部品
２３０を圧迫し、これにより該弾性部品２３０の該凸出部２３２は、該薄膜回路板２２０の該上線路層２２０２に接触する。
【００３８】
該上線路層２２０２は力を受けて湾曲し、該移動電極２２０３を該固定電極２２０５に接触させ電気的連接を形成する。
【００３９】
これにより、該薄膜回路板２２０は、対応して下向きの力を受け下降する該プッシュボタンユニット２１０のインプット信号を送出し、該キーボードコントローラーに伝送する。
【００４０】
下向きの圧力が停止すると、該キーキャップ２１２は、該弾性部品２３０の回復力により押されていない位置を回復し、こうすることにより、該凸出部２３２と該上線路層２２０２は分離し、さらに該移動電極２２０３と該固定電極２２０５とは分離する。
【００４１】
該発光モジュール２４０は主に、該発光キーボードデバイス２００を明るく点灯させる。
【００４２】
該発光モジュール２４０は、少なくとも１個の光源２４２、第一導光板２４４、第二導光板２４６、第一反射片２４８からなる。
【００４３】
実施時には、該光源２４２は、発光ダイオード、小型ランプ或いは灯管である。
【００４４】
該光源２４２の数量は、１個、或いは多数個で、本実施例中では、該光源２４２は、１個の発光ダイオードを例とする。
【００４５】
図４は、本考案発光キーボードデバイスの局部拡大図である。
【００４６】
該第一導光板２４４は、ポリメタクリル酸メチル（ＰＭＭＡ）、合成樹脂、アクリル（ａｃｒｙｌ）、ポリカーボネート（ＰＣ）、ポリエチルテレフタレート（ＰＥＴ）、ポリオレフィン（Ｐｏｌｙｏｌｅｆｉｎｅｓ）或いはガラスなどの光透過樹脂材質を用い、射出成型、エッチング、熱成形或いは裁断加工等方式により製造するプレートである。
【００４７】
該第一導光板２４４は、該底板２００と該薄膜回路板２２０との間に設置し、該第一導光板２４４は、片側面２４４０、上表面２４４２及び下表面２４４４を備える。
【００４８】
該上表面２４４２は、該側面２４４０に隣接し、しかも該第一導光板２４４の出光面である。
【００４９】
該下表面２４４４は、該上表面２４４２の反対側で、該側面２４４０に隣接し、該光源２４２は第一導光板２４４に隣接する適当な位置に設置することができる。
【００５０】
本実施例中では、該光源２４２は、該第一導光板２４４の側面２４４０に位置し、側射式発光モジュールを形成し、しかも好ましくは、該光源２４２は、該第一導光板２４４の幅方向の側面に位置する。
【００５１】
実施時には、該光源２４２は、該第一導光板２４４の長さ方向の側面に位置することができ、或いは該光源２４２は該下表面２４４４において、直下式発光モジュールを形成することができる。
【００５２】
該第一導光板２４４はさらに、複数の第一開孔２４４６を備え、該各第一開孔２４４６は、該各可動接続部２０２をその中に貫通させ、該各第一開孔２４４６は第一孔径Ａ１を備える。
【００５３】
該第二導光板２４６は、該第一導光板２４４と該薄膜回路板２２０との間に設置し、該第二導光板２４６は、光透過樹脂材料を用いて製造することができる。
【００５４】
該第二導光板２４６は、導光インク層２４６０を備える。
【００５５】
該導光インク層２４６０は、該第二導光板２４６の上表面に設置し、該第二導光板２４６に拡散（ｄｉｆｆｕｓｅ）入射した光線は、均一光強度の出光平面を形成する。
【００５６】
該第二導光板２４６は、複数の第二開孔２４６２を備える。
【００５７】
該第二開孔２４６２は、該各可動接続部２０２をその中に貫通させ、該各第二開孔２４６２は、第二孔径Ａ２を備える。
【００５８】
該第一開孔２４４６の該第一孔径Ａ１は、該第二開孔２４６２の該第二孔径Ａ２より大きい。
【００５９】
好ましくは、該第一開孔２４４６の該第一孔径Ａ１は、該第二開孔２４６２の該第二孔径Ａ２の１．２倍である。
【００６０】
該第一反射片２４８は、該底板２００と該第一導光板２４４との間に設置し、該第一反射片２４８は、該第一導光板２４４の該下表面２４４４から漏れる光線を反射し、こうして光線全体の使用効率を向上させる。
【００６１】
この他、該第一反射片２４８の周縁は上方へと湾曲し湾曲部分２４８２を形成し、該湾曲部分２４８２は、少なくとも該第一導光板２４４を覆い、これにより光線の該第一導光板２４４周面からの漏れを回避することができ、こうして光線の使用効率を拡大することができる。
【００６２】
本実施例中では、該湾曲部分２４８２は、該第一反射片２４８の長さ方向に位置し、図５に示すように、該発光モジュール２４０長さ方向の二端面を覆い、これにより光線の該両端面からの漏れを回避することができる。
【００６３】
該第一反射片２４８は、樹脂材料などで、しかも白色或いは銀色等の良好な反射効果を備える色を呈し、実施時には、実際の必要或いは制限に基づき、反射部品の色を調整することができる。
【００６４】
或いは、該第一反射片２４８は、光透過樹脂材料（ＵＶ剤など）で製造し、該第一反射片２４８は透明（或いは少なくとも半透明）を呈し、しかも該第一反射片２４８の屈折率（ｒｅｆｒａｃｔｉｖｅ  ｉｎｄｅｘ）は、該第一導光板２４４の屈折率より小さい。
【００６５】
該第一反射片２４８は、複数の貫通孔２４８４を備え、該各貫通孔２４８４は、該各可動接続部２０２をその中に貫通させ、該各貫通孔２４８４の孔径は、該第二開孔２４６２の該第二孔径Ａ２に等しい。
【００６６】
該遮光片２５０は、該プッシュボタンユニット２１０と薄膜回路板２２０との間に設置し、該遮光片２５２には、複数の破孔２５２を形成する。
【００６７】
該各破孔２５２は、可動接続部２０２を通し、該破孔２５２の孔径は、該第二開孔２４６２の該第二孔径Ａ２と等しい。
【００６８】
該光源２４２が発出する大部分の光線は、該導光板の側面２４４０から該第一導光板２４４へと入射し、該第一導光板２４４内部において伝送された後、該上表面２４４２から出光し、他の部分光線は、該各第一開孔２４４６の孔壁から屈折して出光する。
【００６９】
該第二開孔２４６２の該第二孔径Ａ２は、該第一開孔２４４６の該第一孔径Ａ１より小さい。
【００７０】
そのため、該第一開孔２４４６の孔壁により屈折されて出光する光線が、該各第二開孔２４６２及び該各破孔２５２を直接通過し、隣接する２個のキーキャップ２１２間の隙間に伝送され、干渉光線を形成し、使用者が該各キーキャップ２１２上の文字符号２１２１を識別する際の難度拡大を回避することができる。
【００７１】
この他、該発光モジュール２４０はさらに、フレキシブル回路板２４９を備え、該フレキシブル回路板２４９は、該第一導光板２４４と該第一反射片２４８との間に設置される。
【００７２】
図４に示すように、該光源２４２は、該フレキシブル回路板２４９に電気的に連接する。
【００７３】
さらに、光源２４２の数が多数である時には、該各光源２４２は、直列接続で、該フレキシブル回路板２４９に電気的に連接し、或いは並列接続で、該フレキシブル回路板２４９に電気的に連接する。
【００７４】
また、該発光キーボードデバイス２００はさらに、第二反射片２６０を備える。
【００７５】
図３に示すように、該第二反射片２６０は、該底板２００下方に設置し、該第二反射片２６０は主に、該底板２００から漏れる光線を反射し、こうして光線全体の使用効率を向上させることができる。
【００７６】
別に、該第二反射片２６０構造には開孔が未設置であるため、防水機能を提供でき、液体の該底板２００下への浸出を回避することができる。
【００７７】
この他、該底板２００の周縁には、上方へと湾曲した湾曲部２０４を形成でき、該湾曲部２０４は少なくとも該第一導光板２４４を覆い、これにより光線の外漏れを回避でき、こうして光線の使用効率を向上させることができる。
【００７８】
本実施例中では、該湾曲部２０４は、該底板２００の長さ方向に形成し、図５に示すように、少なくとも該発光モジュール２４０長さ方向の二端面を覆い、これにより光線の該両端面からの漏れを回避することができ、しかも該第一反射片２４８の組立ての便を図る。  
【００７９】
上記のように、本考案発光キーボードデバイスにおいては、該第一導光板２４４の該各第一開孔２４４６の該第一孔径Ａ１は、該第二導光板２４６の該各第二開孔２４６２の該第二孔径Ａ２より大きく、しかも該第一孔径Ａ１は、該第二孔径Ａ２の１．２倍であるため、該各第二開孔２４６２及び該各破孔２５２を直接通過した光線が、隣接する２個のキーキャップ２１２間の隙間へと伝送し、干渉光線を形成し、使用者が該各プッシュボタン上の文字符号を識別する際の難度を拡大することを効果的に避けることができる。
【００８０】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００８１】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００８２】
１０      発光キーボードデバイス
１００    底板
１０２    可動接続部
１１０    プッシュボタンユニット
１１２    キーキャップ
１１４    連結機構
１２０    薄膜回路板
１２２    接点
１３０    弾性部品
１４０    発光モジュール
１４２    発光ダイオード
１４４    導光板
１４４０  入光面
１４４２  出光面
１４４４  穿孔
１４６    拡散板
１４６０  貫通孔
２０      発光キーボードデバイス
２００    底板
２０２    可動接続部
２０４    湾曲部
２１０    プッシュボタンユニット
２１２    キーキャップ
２１２０  プッシュ面
２１２１  文字符号
２１２２  対応設置面
２１２４  光透過エリア
２１４    連結機構
２１４０  第一サポートフレーム
２１４２  第二サポートフレーム
２１４４  ピボット
２２０    薄膜回路板
２２０２  上線路層
２２０３  移動電極
２２０４  下線路層
２２０５  固定電極
２２０６  絶縁層
２２０７  開孔
２３０    弾性部品
２３２    凸出部
２４０    発光モジュール
２４２    光源
２４４    第一導光板
２４４０  側面
２４４２  上表面
２４４４  下表面
２４４６  第一開孔
２４６    第二導光板
２４６０  導光インク層
２４６２  第二開孔
２４８    第一反射片
２４８２  湾曲部分
２４８４  貫通孔
２４９    フレキシブル回路板
２５０    遮光片
２５２    破孔
２６０    第二反射片
Ａ１      第一孔径
Ａ２      第二孔径
【図１】
0003172648.tif 000003
【図２】
0003172648.tif 000004
【図３】
0003172648.tif 000005
【図４】
0003172648.tif 000006
【図５】
0003172648.tif 000007